(57)【特許請求の範囲】
【請求項１】
リール本体の側枠間に回転自在に支持したスプールと、
前記側枠間の上部に設けられたサムレストと、
前記側枠に支持され、前記スプールに対する釣糸の巻き取りを可能にするクラッチＯＮ状態と、前記スプールからの釣糸放出を可能にするクラッチＯＦＦ状態と、に切り換え操作可能なクラッチレバーと、を備え、
前記サムレストと前記クラッチレバーとが一体的に設けられて回動する魚釣用リールであって、
前記サムレストは、
スプール軸の軸心を略中心とした円弧軌道上に沿って配置される円弧部と、
前記円弧部の接線方向に向けて前記円弧部から延設され、前記スプール軸の前方において前記リール本体に配設されたラインガイドの上方に配置される延設部と、を有し、
前記クラッチレバーの切り換え操作に連動して、前記円弧軌道上を前記円弧部が回動することで前記延設部が前記ラインガイドに対して上下方向に移動されるように設けられており、
前記延設部の前記円弧部寄りとなる部分とこれに対向する前記側枠の対向部との一方には、係止部が設けられており、他方には、前記延設部の下方向への移動により前記係止部が係止される係止受部が設けられていることを特徴とする魚釣用リール。
【請求項２】
前記係止受部は前記スプール軸の軸心を略中心とした円弧状に形成されていることを特徴とする請求項１に記載の魚釣用リール。
【請求項３】
前記係止受部には、クラッチＯＮ状態にて前記係止部が上方向に変位するのを規制する規制部が設けられていることを特徴とする請求項１または請求項２に記載の魚釣用リール。
【請求項４】
前記延設部は、前記サムレストが下方向へ移動されるときの前記円弧部の回動方向において、前記円弧部寄りとなる部分から前記円弧軌道上に沿う位置に膨出する膨出部を有しており、
前記膨出部とこれに対向する前記側枠との一方に前記係止部が設けられ、他方に前記係止受部が設けられていることを特徴とする請求項１から請求項３のいずれか１項に記載の魚釣用リール。
【発明の詳細な説明】
【技術分野】
【０００１】
本発明は、両軸型の魚釣用リールに関する。
【背景技術】
【０００２】
従来、両軸型の魚釣用リールにおいて、仕掛けをより遠くに投入することを目的として、釣糸放出時の抵抗を小さくするようにしたものが提案されている。
例えば、特許文献１の魚釣用リールでは、クラッチレバーとサムレストとが一体に設けられ、クラッチレバーのレバー部分が側枠に支持されて、スプール軸の軸心を略中心として回動するように構成されたものが開示されている。
【０００３】
この魚釣用リールでは、クラッチレバーを、釣糸の巻き取りが可能なクラッチＯＮ状態から、釣糸の放出が可能なクラッチＯＦＦ状態に切り換え操作することで、サムレストが上方向へ移動するようになっており、この移動によって、ラインガイドにおける釣糸の通過可能な領域が拡大して、釣糸放出時の抵抗が小さくなるように構成されている。これにより、仕掛けをより遠くに投入することが可能となる。
なお、釣糸巻き取り時には、サムレストを押し下げ操作することで、サムレストが下方向へ移動し、ラインガイドにおける釣糸の通過可能な領域が狭まって、レベルワインド機構による釣糸の好適な巻き付けが実現される。
【０００４】
一方、特許文献２の魚釣用リールでは、クラッチＯＦＦ状態からクラッチＯＮ状態に切り換えることのできる切換操作部が、クラッチレバーに一体的に設けられたものが開示されている。
切換操作部は、クラッチレバーに連動して移動可能であり、その側部には、切換操作部の移動を案内するピンがリール本体の側枠に向けて突設されている。このピンは、リール本体の側枠に設けられた円弧状の案内溝に挿入されており、溝内に沿って移動することで切換操作部の移動を案内するように構成されている。
また、クラッチレバーは、レバー部分が側枠に支持されて切り換え操作可能に設けられており、クラッチレバーは、このレバー部分と前記した切換操作部との二箇所で側枠に支持された構成となっている。
【先行技術文献】
【特許文献】
【０００５】
【特許文献１】特開２００９−２７８８９７号公報
【特許文献２】特開２０００−３５０５３７号公報
【発明の概要】
【発明が解決しようとする課題】
【０００６】
ところで、特許文献１の魚釣用リールでは、高負荷状態（高張力状態）で釣糸を巻き取ると、釣糸がサムレストに触れることがあり、これによって釣糸からサムレストに外力が作用することがある。このような外力が作用すると、サムレストが上方へ押し上げられるおそれがあった。
仮に、釣糸の巻き取り時にサムレストが上方へ押し上げられてしまうと、ラインガイドにおける釣糸の通過可能な領域が拡大してしまい、レベルワインド機構による釣糸の好適な巻き付けに影響を及ぼす可能性があった。
【０００７】
一方、特許文献２では、レバー部分と切換操作部との二箇所でクラッチレバーが側枠に支持されている構造が開示されているが、この支持構造はクラッチレバーの支持に止まるものであるため、クラッチレバーとサムレストとが一体に設けられた構造のものにこの支持構造を採用しても、サムレストが上方へ押し上げられるのを好適に防止することができない。
【０００８】
本発明は、前記問題を解決するためになされたものであり、サムレストとクラッチレバーとが一体的に設けられて回動する魚釣用リールにおいて、釣糸の巻き取り時にサムレストが上方へ押し上げられるのを防止し、高負荷状態の釣糸の巻き取り時においても釣糸を好適に巻き取ることができる魚釣用リールを提供することを課題とする。
【課題を解決するための手段】
【０００９】
このような課題を解決する本発明の魚釣用リールは、リール本体の側枠間に回転自在に支持したスプールと、前記側枠間の上部に設けられたサムレストと、前記側枠に支持され、前記スプールに対する釣糸の巻き取りを可能にするクラッチＯＮ状態と、前記スプールからの釣糸放出を可能にするクラッチＯＦＦ状態と、に切り換え操作可能なクラッチレバーと、を備え、前記サムレストと前記クラッチレバーとが一体的に設けられて回動する魚釣用リールであって、前記サムレストは、スプール軸の軸心を略中心とした円弧軌道上に沿って配置される円弧部と、前記円弧部の接線方向に向けて前記円弧部から延設され、前記スプール軸の前方において前記リール本体に配設されたラインガイドの上方に配置される延設部と、を有し、前記クラッチレバーの切り換え操作に連動して、前記円弧軌道上を前記円弧部が回動することで前記延設部が前記ラインガイドに対して上下方向に移動されるように設けられており、前記延設部の前記円弧部寄りとなる部分とこれに対向する前記側枠の対向部との一方には、係止部が設けられており、他方には、前記延設部の下方向への移動により前記係止部が係止される係止受部が設けられていることを特徴とする。
【００１０】
この魚釣用リールによれば、サムレストは、円弧部と延設部とを備え、延設部の円弧部寄りとなる部分と、これに対向するリール本体の側枠の対向部との一方に、係止部が設けられており、他方に、延設部が下方向に移動した際に係止部が係止される係止受部が設けられているので、サムレストを下方向に移動すると、係止部が係止受部に係止され、円弧部の近傍において延設部が側枠に係止される。
【００１１】
また、本発明の魚釣用リールは、前記係止受部は前記スプール軸の軸心を略中心とした円弧状に形成されていることを特徴とする。
【００１２】
この魚釣用リールによれば、係止受部がスプール軸の軸心を略中心とした円弧状に形成されているので、サムレストが下方向へ移動される際に、スプール軸の軸心を略中心とした回動に沿って係止部が係止受部にスムーズに係止されることとなる。
【００１３】
また、本発明の魚釣用リールは、前記係止受部に、クラッチＯＮ状態にて前記係止部が上方向に変位するのを規制する規制部が設けられていることを特徴とする。
【００１４】
この魚釣用リールによれば、規制部によって係止部が上方向に変位することが規制されるので、クラッチＯＮ状態にて延設部の上方向の変位が好適に抑えられることとなる。
【００１５】
また、本発明の魚釣用リールは、前記延設部は、前記サムレストが下方向へ移動されるときの前記円弧部の回動方向において、前記円弧部寄りとなる部分から前記円弧軌道上に沿う位置に膨出する膨出部を有しており、前記膨出部とこれに対向する前記側枠との一方に前記係止部が設けられ、他方に前記係止受部が設けられていることを特徴とする。
【００１６】
この魚釣用リールによれば、サムレストが下方向へ移動されるときの円弧部の回動方向において、円弧部寄りとなる部分から円弧軌道上に沿う位置に膨出する膨出部と、これに対向する側枠とが係止されるので、延設部と側枠とが直接係止される場合に比べて、膨出部を介して延設部の先端部分により近づく位置で、延設部と側枠とを係止することができる。
【発明の効果】
【００１７】
本発明によれば、サムレストが下方向に移動されると、係止部が係止受部に係止され、円弧部の近傍において延設部が側枠に係止されるので、サムレストがラインガイドに対して上下方向に移動するように設けられている構成でありながら、サムレストの延設部を直接的に側枠に係止することができる。これによって、高負荷状態（高張力状態）で釣糸を巻き取った場合に、釣糸がサムレストの延設部に触れて延設部を上方へ押し上げる外力が作用したとしても、延設部の浮き上がりが好適に防止される。したがって、高負荷状態の釣糸の巻き取り時においてもレベルワインド機構等によって釣糸を好適に巻き取ることができる。
【００１８】
また、係止受部がスプール軸の軸心を略中心とした円弧状に形成されている構成では、サムレストが下方向へ移動される際に、スプール軸の軸心を略中心とした回動に沿って係止部が係止受部にスムーズに係止されることとなるので、クラッチＯＦＦ状態からクラッチＯＮ状態への切り換え操作時に違和感を覚えることなく、延設部を側枠に好適に係止することができ、操作フィーリングに優れる。
【００１９】
また、係止受部に規制部が設けられている構成では、規制部によって係止部が上方向に変位することが規制され、クラッチＯＮ状態にて延設部の上方向の変位が好適に抑えられることとなる。これによって、高負荷状態（高張力状態）で釣糸を巻き取った場合に、釣糸がサムレストの延設部に触れて延設部を上方へ押し上げる外力が作用したとしても、延設部の浮き上がりがより好適に防止される。したがって、高負荷状態の釣糸の巻き取り時においてもレベルワインド機構によって釣糸をより好適に巻き取ることができる。
【００２０】
また、サムレストが下方向へ移動するときの円弧部の回動方向において、円弧部寄りとなる部分から円弧軌道上に沿う位置に膨出する膨出部と、これに対向する側枠とが係止される構成では、延設部と側枠とが直接係止される場合に比べて、膨出部を介して延設部の先端部により近づく位置で、延設部と側枠とを係止することができるので、延設部の浮き上がりがより好適に防止される。
また、膨出部によって延設部の剛性も高められることとなるので、高負荷状態（高張力状態）で釣糸を巻き取った場合に、釣糸がサムレストの延設部に触れて延設部を上方へ押し上げる外力が作用したとしても、延設部の変形が抑えられ、延設部の浮き上がりがより好適に防止される。
【図面の簡単な説明】
【００２１】
【図１】（ａ）は本発明の第１実施形態に係る魚釣用リールの上面図、（ｂ）は要部の拡大上面図である。
【図２】サムレストを開いた状態を示した斜視図である。
【図３】フレームを示した斜視図である。
【図４】（ａ），（ｂ）は釣糸巻き取り時における各部の位置関係を示す説明図、（ｃ），（ｄ）は釣糸放出時における各部の位置関係を示す説明図である。
【図５】（ａ）はサムレストを閉じた状態を示した説明図、（ｂ）はサムレストを開いた状態を示した説明図である。
【図６】（ａ）は係止部と係止受部との係止状態を示した拡大縦断面図、（ｂ）は図６（ａ）におけるＡ−Ａ線断面図である。
【図７】（ａ）は本発明の第２実施形態に係る魚釣用リールの係止部と係止受部との係止状態を示した拡大縦断面図、（ｂ）は図７（ａ）におけるＢ−Ｂ線断面図である。
【図８】（ａ）は本発明の第３実施形態に係る魚釣用リールの係止部と係止受部との係止状態を示した拡大縦断面図、（ｂ）は図８（ａ）におけるＣ−Ｃ線断面図である。
【図９】（ａ）は本発明の第４実施形態に係る魚釣用リールの係止部と係止受部との係止状態を示した拡大縦断面図、（ｂ）は図９（ａ）におけるＤ−Ｄ線断面図である。
【図１０】本発明の第５実施形態に係る魚釣用リールを示した説明図である。
【図１１】（ａ）〜（ｄ）は変形例に係る係止部と係止受部との係止状態を示した拡大断面図である。
【発明を実施するための形態】
【００２２】
以下、本発明に係る魚釣用リールの実施形態について図面を参照しながら説明する。なお、以下の説明において、「前後」「左右」を言うときは、図１（ａ）に示した方向を基準とする。なお、説明において、同一の要素には同一の符号を用い、重複する説明は省略する。
【００２３】
（第１実施形態）
図１に示すように、魚釣用リールのリール本体１は、左右一対の側枠２ａ，２ｂを複数の支柱２ｃ（図３参照）で連結して一体の枠体構造を形成するフレーム２を有し、この側枠２ａ，２ｂのそれぞれの外側に、外側板３ａ，３ｂを取り付けてハウジングとして形成され、釣竿取付脚２ｃ１（図３参照）を介して図示しない釣竿に固定される。
ここで、左側の側枠２ａと外側板３ａとの間、右側の側枠２ｂと外側板３ｂとの間には内部空間がそれぞれ形成され、このうち側枠２ａと外側板３ａとの間に形成される内部空間には、リール本体１の構成要素として外側板３ａの着脱を行うための図示しない係止機構や遠心ブレーキ装置等が設置されるようになっている。また、右側の側枠２ｂと外側板３ｂとの間に形成される内部空間には、駆動機構１０、クラッチ機構５０、ドラグ機構５ｄ等が設置されるようになっている。
また、左側の外側板３ａと右側の側枠２ｂ間には、図示しない軸受を介してスプール軸５ｃ（図４（ａ）（ｃ）参照）が回転可能に支持されており、このスプール軸５ｃにスプール５が取り付けられている。
そして、本実施形態では、リール本体１の上部の側枠２ａ，２ｂ間に設けられたサムレスト２０が、クラッチレバー２１と一体的に設けられており、クラッチレバー２１の切り換え操作に連動してこれらが上下方向に一体的に回動するように設けられている。
さらに、側枠２ｂとサムレスト２０との対向部位において、側枠２ｂには、係止部としての係止ピン３０が設けられ、サムレスト２０には、係止受部としてのガイド部２５が形成されている。
【００２４】
フレーム２を構成する左右の側枠２ａ，２ｂは、図３に示すように、複数の支柱２ｃを介して一体化されており、そのうちの下部に設けられた支柱２ｃには、釣竿のリールシート（不図示）に装着される釣竿取付脚２ｃ１が設けられている。
【００２５】
側枠２ａは、図１（ａ）に示すように、リール本体１の竿延在方向におけるスプール軸５ｃの軸心Ｏ１から後側となる後部２ａ４が、これに対峙する外側板３ａの後部周縁部３ａ４と同一平面上に位置するように平に形成されている。
一方、竿延在方向におけるスプール軸５ｃの軸心Ｏ１の前方となる側枠２ａの前側上部には、膨出部４ｂが形成されている。膨出部４ｂは、反ハンドル側に向けて湾曲状に膨出する湾曲板状を呈しており、外側縁部４ｂ１が、前記した突き合せ面となる後部周縁部（後部）２ａ４の位置する同一平面よりも反ハンドル側に膨出している。
膨出部４ｂの外側縁部４ｂ１は、上面視で略Ｓ字形状に形成されている。
【００２６】
また、図２、図３に示すように、側枠２ａの前端上部には、略三角形状の挿通孔２ｐ１が形成されている。また、側枠２ｂの前端上部にも、略三角形状の挿通孔２ｐ２が形成されている。
【００２７】
外側板３ａは、図１（ａ）に示すように、リール本体１の竿延在方向におけるスプール軸５ｃの軸心Ｏ１から後側となる後部周縁部３ａ４が、側枠２ａの後部２ａ４と同一平面で突き合わされるように平に形成されている。
そして、外側板３ａには、側枠２ａの膨出部４ｂに対応する位置に凹状部３ｂ１が形成されている。凹状部３ｂ１は、膨出部４ｂに対応する湾曲凹状とされており、側枠２ａに外側板３ａを装着した際に、膨出部４ｂに突き合わされるようになっている。
なお、膨出部４ｂと凹状部３ｂ１との突き合せ形状は、図１（ａ）に示すように、略Ｓ字形状とされている。
本実施形態では、前記したようにスプール軸５ｃの軸心Ｏ１を中心として回動させることで、側枠２ａに対して外側板３ａが取り付けられるようになっており、取り付け時の回動によって側枠２ａの膨出部４ｂに外側板３ａの凹状部３ｂ１が突き合わされるようになっている。
また、図２に示すように、外側板３ａの外側面には、側枠２ａの挿通孔２ｐ１に対応する位置に挿通窓３ｐ１が開口形成されている。同様に、外側板３ｂの外側面には、側枠２ｂの挿通孔２ｐ２に対応する位置に挿通窓３ｐ２が開口形成されている。
【００２８】
スプール５は、図１（ａ）に示すように、ハンドル７を回転操作することによって回転させることができるように構成されており、ハンドル７は、外側板３ｂから突出した図示しないハンドル軸の端部に取り付けられて、外側板３ｂとの間に介在された逆転防止機構７ａ（転がり式一方向クラッチ）によって、釣糸巻き取り方向にのみ回転可能となっている。
【００２９】
側枠２ｂと外側板３ｂとの間には、前記したように、ハンドル７の回転運動をスプール軸５ｃ、およびレベルワインド機構１５の螺軸１６（図４（ａ）（ｂ）参照）に伝達する公知の駆動機構１０、駆動力の伝達を継脱する公知のクラッチ機構５０のほか、魚釣時にスプール５から釣糸が繰り出された際に、スプール５にドラグ力を付与する公知のドラグ機構５ｄ等が収容されている。
【００３０】
駆動機構１０は、公知のように、図示しないハンドル軸に回転可能に支持された図示しない駆動歯車およびピニオンを備えている。ピニオンは、図示しないピニオン軸に沿って軸方向に移動可能となっており、その外周に形成された円周溝に、クラッチ機構５０のヨーク５７（図５（ａ）参照）が係合して、ピニオンを軸方向に移動させるようになっている。すなわち、ピニオンが軸方向に移動することで、スプール軸５ｃとの間で継脱がなされ、動力伝達状態（クラッチＯＮ状態）／動力遮断状態（クラッチＯＦＦ状態）に切り換えられるようになっている。
【００３１】
スプール５の前方において、側枠２ａ，２ｂ間には、レベルワインド機構１５（図２参照）が配置されている。レベルワインド機構１５は、駆動機構１０（図１（ａ）参照、以下同じ）を介してハンドル７により回転駆動される螺軸１６（図４（ａ）（ｂ）参照）に装着されて左右方向に往復動可能に設けられた釣糸案内体１７と、この釣糸案内体１７に設けられたラインガイド１８とを備えている。
螺軸１６は、側枠２ａ，２ｂ間に回転可能に支持されており、駆動機構１０を介して回転駆動されるようになっている。螺軸１６の端部には、図示しない連動歯車が取り付けられており、この連動歯車には、ハンドル軸の駆動歯車に隣接して設けられた歯車が噛合している。これにより、ハンドル７を巻き取り回転操作すると、ハンドル軸の回転が、歯車および連動歯車を通じて螺軸１６に伝わり、螺軸１６が回転駆動される。
【００３２】
図４（ｂ）に示すように、螺軸１６の外周面には、螺旋溝１６ａが形成され、この螺旋溝１６ａには、釣糸案内体１７に設けられた摺動子１７ａ（図４（ａ）参照、以下同じ）が係合している。これにより、釣糸案内体１７のラインガイド１８は、螺軸１６が連動歯車によって回転駆動されることで、螺旋溝１６ａに係合する摺動子１７ａを介して左右往復動するようになっている。
【００３３】
ラインガイド１８は、図２に示すように、左右方向に横長形状とされており、釣糸挿通孔１９が形成されている。釣糸挿通孔１９の下部内面中央部には、釣糸巻き取り時に釣糸を保持する釣糸案内溝１９ａが形成されている。
釣糸案内溝１９ａは、図４（ｂ）に示すように、釣糸挿通孔１９内の下部内面１９ｂの中央部から下方へ向けて湾曲凹状に切り欠かれた溝であり、図４（ａ）に示すように、釣糸挿通孔１９内において前後方向に延設されている。釣糸案内溝１９ａ内には、クラッチレバー２１の操作時に、下方へ向けて移動してきたピラー２２ａによって誘導されてきた釣糸が挿入されるようになっている（図４（ａ）（ｂ）参照）。
【００３４】
このようなラインガイド１８は、図２に示すように、側枠２ａ，２ｂに形成された挿通孔２ｐ１，２ｐ２に対して、左端部および右端部をそれぞれ収容するようにして往復動可能である。なお、外側板３ａ，３ｂに形成された挿通窓３ｐ１，３ｐ２にラインガイド１８の左端部および右端部をそれぞれ収容するようにして往復動させることもできる。このような往復動により、スプール５（図１（ａ）参照）の左右に釣糸が均等に振分けられ、スプール５に釣糸が均一かつ平行（平坦）に巻き取られる。これにより、スムーズな釣糸の放出が可能でありながら、スムーズな釣糸の巻き取りを実現することができる。
【００３５】
サムレスト２０は、図２に示すように、ラインガイド１８を覆うように前方へ向けて延設されている。サムレスト２０には、クラッチレバー２１（図１（ａ）参照）が一体的に設けられている。
サムレスト２０は、図２、図５に示すように、後部にクラッチレバー２１が設けられた円弧部２２と、円弧部２２から延設された延設部２３とを備えて構成されている。
円弧部２２は、スプール軸５ｃの軸心を略中心とした図示しない円弧軌道上に沿って配置される部位であり、円弧軌道上となる側枠２ａ，２ｂのフランジ部２ａ１，２ｂ１（図３参照、以下同じ）上に配置されている。すなわち、円弧部２２は、フランジ部２ａ１，２ｂ１上を摺動するようにしてスプール軸５ｃ周りに回動可能となっている。なお、円弧部２２はクラッチレバー２１にかけて厚く形成されており、クラッチレバー２１の強度が確保されている。また、クラッチレバー２１は、サムレスト２０の後部（円弧部２２の後部）以外の部分に設けてもよい。
【００３６】
延設部２３は、円弧部２２の接線方向に向けて円弧部２２からリール本体１の前方へ延設される部位である。つまり、円弧部２２の曲率と異なる曲率となった部分が延設部２３である。なお、延設部２３は左右側方から見て直線状に形成されていてもよいし、逆向きの曲率を備えて形成されていてもよい。
延設部２３の前端部分２３ａは、図１（ａ）に示すように、左右方向に幅広に形成されており、スプール軸５ｃの前方においてリール本体１に配設されたラインガイド１８（図２参照、以下同じ）を覆うように、リール本体１の前端部まで長く延設されている。したがって、延設部２３は、クラッチレバー２１の切り換え操作に連動して、側枠２ａ，２ｂのフランジ部２ａ１，２ｂ１上（円弧軌道上）を円弧部２２が回動することで、ラインガイド１８に対して上下方向に移動する（開閉する）ようになっている（図５（ａ）（ｂ）参照）。
【００３７】
図１、図２、図５各図に示すように、延設部２３の円弧部２２寄りとなる部分には、係止受部としてのガイド部２５が形成されている。ガイド部２５は、スプール軸５ｃの軸心を略中心とした円弧状を呈しており、図示しない円弧軌道上に沿うものとなっている。ガイド部２５の前端部２５ａは、図５（ａ）に示すように、サムレスト２０がリール本体１に閉じられた状態で、スプール軸５ｃの軸心を通る鉛直線Ｇ１よりも前側に位置しており、また、ガイド部２５の後端部２５ｂは、鉛直線Ｇ１よりも後側に位置している。より詳しくは、後端部２５ｂは、鉛直線Ｇ１に平行なスプール軸５ｃの接線Ｇ２の略延長上に位置している。
【００３８】
ガイド部２５に対向する側枠２ｂの対向部位には、円柱形状を呈する係止部としての係止ピン３０が設けられている。この係止ピン３０は、図１（ｂ）、図６（ａ）に示すように、側枠２ａに貫通形成された固定孔３１に固定されている。なお、係止ピン３０は、外側板３ａ側の開口３１ａ（図６（ａ）参照）から固定孔３１に押し込まれて、延設部２３のガイド部２５側に突出される。固定孔３１に係止ピン３０が固定された状態で、固定孔３１内には、係止ピン３０の突出量を調整可能な空間Ｓ１（図１（ｂ）、図６（ａ）参照）が形成されている。係止ピン３０の固定は、圧入により行ってもよいし、接着剤等を用いて行ってもよい。なお、前記空間Ｓ１は必ずしも必要ではなく、また、圧入や接着をせずに外側板３ｂによる抜け止めを兼ねた固定だけでもよい。このようにすることで、メンテナンス時の分解が容易になる。
【００３９】
図５（ａ）に示すように、サムレスト２０をリール本体１に閉じた状態（クラッチＯＦＦ状態）では、ガイド部２５の後端部２５ｂに係止ピン３０が位置するようになっている。また、図５（ｂ）に示すように、サムレスト２０をリール本体１から開いた状態（クラッチＯＮ状態）では、ガイド部２５の前端部２５ａに係止ピン３０が位置するようになっている。
【００４０】
クラッチＯＦＦ状態では、図６（ｂ）に示すように、後端部２５ｂにおいて、係止ピン３０は、鉛直方向（図に示す矢印方向）からガイド部２５の内面によって保持されるようになっている。
【００４１】
サムレスト２０の下面には、図２、図５に示すように、支持部２６を介してピラー２２ａが回転可能に支持されている。ピラー２２ａは、円柱状の部材であり、サムレスト２０を閉じた状態（先端を下方向へ回動してピラー２２ａを移動させた状態）で、図４（ａ）（ｂ）に示すように、ラインガイド１８の後方の近傍位置に配置されるようになっており、その位置で釣糸を押し下げて、ラインガイド１８の釣糸案内溝１９ａに釣糸を誘導するように構成されている。
【００４２】
サムレスト２０の前端部とリール本体１との間には、図４（ａ）に示すように、サムレスト２０を閉じた状態で、釣糸挿通用の開口２３ｂが形成されており、釣糸巻き取り時における釣糸の挿通が可能となっている。
一方、サムレスト６０の後部側に設けられたクラッチレバー２１は、サムレスト２０に一体成形されており、連結部材２１ａ（図５（ａ）（ｂ）参照）を介してクラッチ機構５０に連結されている。つまり、サムレスト２０の後端部は、連結部材２１ａを介してリール本体１に支持されている。なお、クラッチレバー２１は、別体で形成して、円弧部２２に一体的に固定してもよい。
【００４３】
図５（ａ）に示すように、クラッチ機構５０のクラッチ駆動部材５１は、公知のように、側枠２ｂに対して回動可能に支持され、振分けバネ５６によって、動力伝達状態（クラッチＯＮ状態）と、動力遮断状態（クラッチＯＦＦ状態）とに振分け保持されるようになっている。また、クラッチ駆動部材５１の表面には、前記駆動機構１０のピニオンの円周溝に嵌合したヨーク５７と係合可能な図示しないカム面が形成されている。
【００４４】
ヨーク５７の先端側は、側枠２ｂに突設された支持ピン５９，５９によって保持されており、ヨーク５７は、各支持ピン５９，５９に配設されたバネ部材（図示せず）によって常時、クラッチ駆動部材５１側に付勢された状態となっている。
【００４５】
そして、スプール５に対する釣糸の巻き取りを可能にするクラッチＯＮ状態にクラッチレバー２１を切り換え操作（ハンドル７の回転操作や、サムレスト２０の前端部分２３ａを下方向に押圧する操作）をすることにより、サムレスト２０が下方向へ移動すると（図４（ａ）参照）、この移動によりピラー２２ａが移動して、釣糸挿通孔１９の下部内面中央部の釣糸案内溝１９ａに釣糸が保持される（図１５（ｂ）参照）。
また、スプール５からの釣糸放出を可能にするクラッチＯＦＦ状態にクラッチレバー５３を切り換え操作することにより、サムレスト２０が上方向へ移動し（図４（ｃ）参照）、この移動によりピラー２２ａも移動して、釣糸挿通孔１９の下部内面中央部の釣糸案内溝１９ａから釣糸が離れる。
【００４６】
以上説明した本実施形態の魚釣用リールによれば、ガイド部２５（後端部２５ｂ）に係止ピン３０が係止されて、サムレスト２０の円弧部２２の近傍において、延設部２３が側枠２ｂに係止されるので、サムレスト２０がラインガイド１８に対して上下方向に移動するように設けられている構成でありながら、サムレスト２０の延設部２３を直接的に側枠２ｂに係止することができる。これによって、高負荷状態（高張力状態）で釣糸を巻き取った場合に、釣糸がサムレスト２０の延設部２３に触れて延設部２３を上方へ押し上げる外力が作用したとしても、延設部２３の浮き上がり（押し上げられること）が好適に防止される。つまり、釣糸の巻き取り時に、ラインガイド１８の釣糸挿通孔１９の下部内面中央部の釣糸案内溝１９ａに、サムレスト２０のピラー２２ａで釣糸を好適に保持することができる。
したがって、軽量化のためにサムレスト２０の延設部２３等の断面積を小さくしたり、サムレスト２０を軽比重の樹脂材料で成形した場合に弾性変形が大きくなる可能性があるが、この場合にも弾性変形を好適に押さえて延設部２３の浮き上がり（押し上げられること）が好適に防止される。
これにより、高負荷状態の釣糸の巻き取り時においてもレベルワインド機構１５によって釣糸を好適に巻き取ることができる。また、釣糸を好適に巻き取ることができるので、釣糸繰り出し時の抵抗も低減され、投擲性能が向上する。
【００４７】
また、ガイド部２５がスプール軸５ｃの軸心を略中心とした円弧状に形成されているので、サムレスト２０が下方向へ移動される際に、スプール軸５ｃの軸心を略中心とした回動に沿って係止ピン３０がガイド部２５（後端部２５ｂ）にスムーズに係止されることとなる。したがって、クラッチＯＦＦ状態からクラッチＯＮ状態への切り換え操作時に違和感を覚えることなく、延設部２３を側枠２ｂに好適に係止することができ、操作フィーリングに優れる。
【００４８】
また、クラッチＯＮ状態では、ガイド部２５の後端部２５ｂにおいて、係止ピン３０は、鉛直方向（図６（ｂ）に示す矢印方向）からガイド部２５の内面によって保持されるようになっているので、後端部２５ｂにおいて係止ピン３０は、上下方向の移動が抑えられた状態に保持されるようになる。これによって、クラッチＯＮ状態において、延設部２３はリール本体１に閉じられた状態に好適に維持されることとなる。
したがって、高負荷状態（高張力状態）で釣糸を巻き取った場合に、釣糸がサムレスト２０の延設部２３に触れて延設部２３を上方へ押し上げる外力が作用したとしても、延設部２３の浮き上がり（押し上げられること）がより好適に防止される。したがって、高負荷状態の釣糸の巻き取り時においてもレベルワインド機構１５によって釣糸をより好適に巻き取ることができる。
【００４９】
なお、本実施形態では、延設部２３にガイド部２５を設け、これに対向する外側板３ｂに係止ピン３０を設けたが、これに限られることはなく、延設部２３に係止ピン３０を設け、これに対向する外側板３ｂにガイド部２５を設けてもよい。
【００５０】
（第２実施形態）
図７を参照して第２実施形態の魚釣用リールについて説明する。
本実施形態の魚釣用リールが前記第１実施形態と異なるところは、側枠２ｂに係止受部としての面コ字形状の溝部２５１を設け、これに対向するサムレスト２０の延設部２３に、溝部２５１に係止される係止部としての係止片３０１を設けた点である。
【００５１】
図７（ｂ）に示すように、溝部２５１は、上下方向の幅が他の部分よりも大きく形成された幅広部２５１ａと、この幅狭部２５１ｃよりも幅狭に形成された規制部としての幅狭部２５１ｃと、幅広部２５１ａと幅狭部２５１ｃとの間に形成された傾斜部２５１ｂとを有している。
係止片３０１は、断面四角形状とされており、溝部２５１内を溝部２５１に沿って移動可能であり、幅狭部２５１ｃにきつく嵌り込む大きさを有している。これにより係止片３０１は、クラッチＯＮ状態において、幅狭部２５１ｃにより上方向に変位することが規制され、鉛直方向（図に示す矢印方向）から幅狭部２５１ｃの内面によって保持されるようになっている。
なお、溝部２５１において、幅広部２５１ａが形成される側が溝部２５１の前端側であり幅狭部２５１ｃが形成される側が溝部２５１の後端側である。
【００５２】
このような構成を備えた魚釣用リールによれば、幅広部２５１ａでスムーズな作動を確保しながら幅狭部２５１ｃにより係止片３０１が上方向に変位することが規制され、延設部２３の上方向の変位が好適に抑えられることとなる。これによって、高負荷状態（高張力状態）で釣糸を巻き取った場合に、釣糸がサムレスト２０の延設部２３に触れて延設部２３を上方へ押し上げる外力が作用したとしても、延設部２３の浮き上がりがより好適に防止される。したがって、高負荷状態の釣糸の巻き取り時においてもレベルワインド機構１５によって釣糸をより好適に巻き取ることができる。
【００５３】
（第３実施形態）
図８を参照して第３実施形態の魚釣用リールについて説明する。
本実施形態の魚釣用リールが前記第１，２実施形態と異なるところは、側枠２ｂに係止受部としての段状の溝部２５２を設け、これに対向するサムレスト２０の延設部２３に、溝部２５２に係止される係止部としての係止片３０２を設けた点である。
【００５４】
図８（ｂ）に示すように、溝部２５２は、前記と同様の幅広部２５１ａと、傾斜部２５１ｂと、幅狭部２５１ｃと、を有している。溝部２５２は、カバー部材２ｂ１で上方から覆われるようになっている。つまり、カバー部材２ｂ１で覆うことで係止片３０２がガイドされる溝部２５２が形成されるようになっている。
【００５５】
このような構成を備えた魚釣用リールによれば、幅狭部２５１ｃにより係止片３０２が上方向に変位することが規制され、前記第２実施形態と同様の効果が得られる。
そして、カバー部材２ｂ１で覆うことで溝部２５２が形成される構成であるので、フレーム２に対するサムレスト２０の組付時には、溝部２５２に係止片３０２を先に配置しておいてからカバー部材２ｂ１で係止片３０２を覆う組み付け手順を採ることができる。したがって、フレーム２に対するサムレスト２０の組み付けが簡単であるという利点が得られる。
【００５６】
（第４実施形態）
図９を参照して第４実施形態の魚釣用リールについて説明する。
本実施形態の魚釣用リールが前記第１〜３実施形態と異なるところは、第１実施形態で説明した係止ピン３０に変えて、出没可能な突出部材３０３を側枠２ｂに設け、これに対向するサムレスト２０の延設部２３のガイド部２５に、係止穴２５ｆを設けた点である。
【００５７】
図９（ａ）に示すように、突出部材３０３は、軸部３０４に沿って出没可能である。突出部材３０３は、ばね部材３０５によって、ガイド部２５側へ付勢されている。
係止穴２５ｆは、ガイド部２５の後端部２５ｂに設けられており、突出部材３０３の先端が係止される深さを有している。
【００５８】
このような構成を備えた魚釣用リールによれば、クラッチＯＮ状態で、ガイド部２５の後端部２５ｂにおいて、突出部材３０３が係止穴２５ｆに係止されるようになっているので、後端部２５ｂにおいて突出部材３０３は、上下方向の移動が抑えられた状態に保持されるようになる。これによって、クラッチＯＮ状態において、延設部２３はリール本体１に閉じられた状態に好適に維持されることとなる。
【００５９】
（第５実施形態）
図１０を参照して第５実施形態の魚釣用リールについて説明する。
本実施形態の魚釣用リールが前記第１〜４実施形態と異なるところは、延設部２３に膨出部２３１を設け、この膨出部２３１にガイド部２５を設けた点である。
【００６０】
膨出部２３１は、サムレスト２０が下方向へ移動されるときの円弧部２２の回動方向において、円弧部２２寄りとなる部分から円弧軌道上に沿う位置に膨出形成された部分である。膨出部２３１には、スプール軸５ｃの円弧軌道上に沿うようにしてガイド部２５が形成されている。ガイド部２５に対向する側枠２ｂには、ガイド部２５に係止される係止ピン３０が突設されている。
【００６１】
このような構成を備えた魚釣用リールによれば、延設部２３と側枠２ｂとが直接係止される場合に比べて、膨出部２３１を介して延設部２３の前端部分２３ａにより近づく位置で、延設部２３と側枠２ｂとを係止することができるので、延設部２３の浮き上がりがより好適に防止される。
また、膨出部２３１によって延設部２３の剛性も高められることとなるので、高負荷状態（高張力状態）で釣糸を巻き取った場合に、釣糸がサムレスト２０の延設部２３に触れて延設部２３を上方へ押し上げる外力が作用したとしても、延設部２３の変形が抑えられ、延設部２３の浮き上がりがより好適に防止される。
【００６２】
前記第１実施形態では、ガイド部２５内を幅を一定の幅としたが、図１１（ａ）に示すように、前記第２実施形態と同様の幅広部２５１ａ、傾斜部２５１ｂおよび幅狭部２５１ｃを設けてもよい。
また、図１１（ｂ）に示すように、ガイド部２５の上側に幅広部２５１ａ、傾斜部２５１ｂおよび幅狭部２５１ｃを設けてもよい。
また、図１１（ｃ）に示すように、ガイド部２５の上側および下側の両方に、幅広部２５１ａ、傾斜部２５１ｂおよび幅狭部２５１ｃを設けてもよい。
さらに、図１１（ｄ）に示すように、ガイド部２５の後端部２５ｂ側に突部２５ｇを設け、後端部２５ｂ側から係止ピン３０が脱落し難い構造としてもよい。
【００６３】
なお、前記実施形態で示したガイド部２５や溝部２５１等に切欠き部を形成し、この切欠き部を通じて、ガイド部２５や溝部２５１等の中に係止ピン３０や係止片３０１等が入り込むように構成してもよい。
また、下方向にサムレスト２０が移動した際にのみガイド部２５等に係止ピン３０等が係止するように構成してもよい。
【００６４】
さらに、前記各実施形態では、側枠２ｂとこれに対向する延設部２３とにガイド部２５や係止ピン３０等を設けたが、側枠２ａとこれに対向する延設部２３とに設けてもよく、側枠２ｂおよび側枠２ａの両方に設けてもよい。
【符号の説明】
【００６５】
１      リール本体
２ａ，２ｂ    側枠
２０    サムレスト
５      スプール
２１    クラッチレバー
５ｃ    スプール軸
１８    ラインガイド
２２    円弧部
２２ａ  ピラー
２３    延設部
２５    ガイド部（係止受部）
３０    係止ピン（係止部）
２５１  溝部（係止受部）
３０１，３０２  係止片（係止部）
２５１ｃ  幅狭部（規制部）
２３１  膨出部
３０３  突出部材（係止部）
【図１】
0005576820.tif 000002
【図２】
0005576820.tif 000003
【図３】
0005576820.tif 000004
【図４】
0005576820.tif 000005
【図５】
0005576820.tif 000006
【図６】
0005576820.tif 000007
【図７】
0005576820.tif 000008
【図８】
0005576820.tif 000009
【図９】
0005576820.tif 000010
【図１０】
0005576820.tif 000011
【図１１】
0005576820.tif 000012